【事件の表示】
　特許第２９５７６０１号「入浴剤組成物」の請求項に係る特許に対する特許異議の申立てについて、次のとおり決定する。
【結　論】
　訂正を認める。
　特許第２９５７６０１号の請求項１に係る特許を維持する。
【理　由】
１．手続の経緯
　本件特許第２９５７６０１号発明は、平成１年７月２６日に特許出願され、平成１１年７月２３日にその特許の設定登録がなされ、その後、アース製薬株式会社より特許異議申立がなされ、当審より取消理由通知がなされ、その指定期間内である平成１２年８月２８日に訂正請求がなされたものである。　
　　
２．訂正の適否についての判断
(a) 訂正の内容
訂正事項ａ
　 特許請求の範囲の
「入浴剤に、炭酸アルカリ塩及び有機酸とともにリン脂質０.１〜３０重量%を配合したことを特徴とする入浴剤組成物。」を
「入浴剤に、炭酸アルカリ塩及び有機酸とともにリン脂質１〜２０重量％を配合したことを特徴とする入浴剤組成物。」と訂正し、
訂正事項ｂ
　明細書４頁１３〜１５行（特許掲載公報第４欄８〜１０行）の
「すなわち、本発明は…提供するものである。」を、
「すなわち、本発明は、入浴剤に、炭酸アルカリ塩及び有機酸とともにリン脂質１〜２０重量%を配合したことを特徴とする入浴剤組成物を提供するものである。」と訂正し、
訂正事項ｃ
　明細書５頁下より２行〜６頁３行（特許掲載公報第３欄下より４〜末行）の「入浴剤…多くしても」を
「入浴剤組成物全量に対し、１〜２０重量％の範囲で選ばれる。この量が少なすぎると本発明の効果が十分に得られないし、また、多すぎても」
と訂正するものである。
　　
(b) 訂正の目的の適否、拡張・変更の存否、及び新規事項の追加の有無　　
　上記訂正事項ａは、特許請求の範囲に記載されたリン脂質の配合割合を願書に添付された明細書（以下特許明細書という。）５頁下より２行〜６頁１行に「このリン脂質の含有量は、通常入浴剤全量に対し、０.１〜３０重量％、好ましくは１〜２０重量％の範囲で選ばれる。」と記載されている好ましい範囲に限定したものであるから、特許明細書に記載された範囲内のものであって、特許請求の範囲の減縮に該当し、
　訂正事項ｂ及びｃは、特許請求の範囲の訂正に伴って、発明の詳細な説明の欄の記載を整合させたものであることから、明りょうでない記載の釈明に該当する。
　また、これらの訂正は実質上特許請求の範囲を拡張し、又は変更するものでもない。
　以上のとおりであるから、上記訂正請求は、特許法第１２０条の４第２項の規定に適合するので、当該訂正を認める。
　　　　　　　
３．特許異議申立についての判断　
イ、本件発明は、訂正された特許明細書の記載からみて、特許請求の範囲に記載されたとおりのものと認められる。
　
ロ、異議申立の概要
　異議申立人は、甲第１号証（特開昭６３−９３７１１号公報）、甲第２号証（特開昭６３−２５０３１６号公報）、甲第３号証（特開昭６２−１６１７１０号公報）及び甲第４号証（理化学辞典、第４版、１９８７年岩波書店発行、１２２２頁）を提出して、本件発明は、甲第１〜４号証に記載された発明に基づいて当業者が容易に発明をすることできたものであるから、同法第２９条第２項の規定に違反してされたものであり、特許法第１１３条第１項第２号の規定により取り消されるべきであると主張している。
　
ハ、証拠記載の発明  
　甲第１号証には、炭酸ガス又は炭酸ガス発生物と油性成分を配合した入浴剤（特許請求の範囲第１項）が記載され、炭酸ガス発生物は、反応によって炭酸ガスを発生するもの、すなわち炭酸塩と酸との組合せであって、炭酸塩として炭酸水素ナトリウム、セスキ炭酸ナトリウム、酸として有機酸（３頁右上〜左下欄）が、油性成分としては油脂類、ロウ類、炭化水素類、高級脂肪酸類、高級アルコール類、エステル類、及びシリコーン油類（４頁左上〜左下欄）が例示され、入浴剤の効果として、炭酸ガスの作用により肌の血行を促進し、優れた浴用効果を示すだけでなく、配合された油性成分が浴湯中に分散し、肌に付着することにより肌に油分を補い入浴後の肌をしっとりさせ、良好な湯上がり感を示すことが記載されている。
　甲第２号証には、アルカリ金属またはアルカリ土類金属の炭酸塩、セスキ炭酸塩、重炭酸塩の一種又は二種以上と、リン酸二水素カリウムと、さらに必要なときは他の浴用成分ならびに賦型剤、吸湿防止剤、香料、色素とを配合し、その配合物を１個が１.０ｇ以上のタブレットに成型し、その１ｇを１００mlの水に溶解したときのpHが４.５〜８.０である浴用剤（特許請求の範囲）が記載され、浴用剤の構成成分である油性成分としてレシチンが大豆油、米ヌカ油、流動パラフィン、スクワランと並んで例示されている（１頁右下欄）。
　甲第３号証には、分離大豆タンパクを主成分とし、分離大豆タンパクに対し大豆レシチンが０.５〜５.０重量％含有する皮膚栄養組成物が記載され、この組成物を主成分とする浴剤が記載されている。この浴用剤には必要に応じて、塩化ナトリウム、炭酸水素ナトリウム、炭酸ナトリウム、硫酸ナトリウムなどの無機塩類を添加できること（３頁右上欄）が記載されている。
　甲第４号証には、ホスファチジルコリンがレシチンともいい、代表的なリン脂質であることが記載されている。
　
ニ、 対比・判断
　本件特許発明と甲第１号証に記載されたものとを対比する。
　甲第１号証には、炭酸アルカリ塩及び有機酸とともに油性成分を含有する入浴剤が記載されているから、両者は炭酸アルカリ塩及び有機酸を含有する入浴剤である点で一致し、前者はリン脂質を必須成分とし、その配合割合を１〜２０重量％と限定しているのに対して、後者は入浴剤に油脂類等の油性成分を含有するが、リン脂質及びその配合割合については記載されていない点で相違する。
　そこで、この相違点について検討する。
　浴用剤（入浴剤）における油性成分としてレシチン（甲第４号証によればリン脂質）が用いられることは甲第２号証に記載されているが、甲第２号証における入浴剤は炭酸アルカリ塩とリン酸二水素カリウムを必須成分とするものであって、リン脂質を必須成分とするものではない。これは、リン脂質を単なる油性成分としての効果を期待しているに過ぎない。甲第３号証には大豆タンパクと大豆レシチンを配合した入浴剤は記載されているが、この入浴剤は炭酸アルカリ塩と有機酸を配合したものではない。
　つまり、入浴剤の油性成分としてリン脂質を用いることが甲第２号証に記載されていることから、入浴剤にこれを単に油性成分としての効果を期待して配合することは当業者が容易に想到することができるとしても、リン脂質について、甲第１号証には、油性成分としての例示にも示されてなく、甲第２〜４号証にもリン脂質を配合することによる油性成分としての効果以外について、また、炭酸アルカリ塩と有機酸を配合した入浴剤にリン脂質を１〜２０重量％配合することは何等記載されていないのである。
　ところで、本件発明は、炭酸アルカリ塩及び有機酸とともにリン脂質１〜２０重量％配合することによって、特許明細書及び平成１２年１０月１１日付け上申書に記載されているように油性成分であるホホバ油を配合した入浴剤より保温効果、しっとり感、スベスベ感に格別顕著に優れているという効果を奏するものである。　
　してみると、本件発明は、甲第１号証に記載の入浴剤において、甲第２〜３号証に記載されている入浴剤に用いられるリン脂質を配合することによって、本件特許明細書に記載の効果は当業者が予想できるものではない。
　したがって、本件発明は、甲第１号証〜甲第４号証に記載された発明に基づいて当業者が容易に発明をすることができたものとは認められない。
　　　
４．むすび
　以上のとおりであるから、本件特許が特許法第２９条第２項に違反してされたものではない。
　また、本件特許については、他に取消理由を発見しない。
　よって、結論のとおり決定する。
【異議決定日】
平成１２年１０月１９日（２０００．１０．１９）
【訂正の要旨】
訂正事項ａ
　特許請求の範囲の減縮を目的として、特許請求の範囲の
「入浴剤に、炭酸アルカリ塩及び有機酸とともにリン脂質０．１〜３０重量％を配合したことを特徴とする入浴剤組成物。」を
「入浴剤に、炭酸アルカリ塩及び有機酸とともにリン脂質１〜２０重量％を配合したことを特徴とする入浴剤組成物。」と訂正し、
訂正事項ｂ
　明りょうでない記載の釈明を目的として、明細書４頁１３〜１５行（特許掲載公報第４欄８〜１０行）の
「すなわち、本発明は…提供するものである。」を、
「すなわち、本発明は、入浴剤に、炭酸アルカリ塩及び有機酸とともにリン脂質１〜２０重量％を配合したことを特徴とする入浴剤組成物を提供するものである。」と訂正し、
訂正事項ｃ
　明りょうでない記載の釈明を目的として、明細書５頁下より２行〜６頁３行（特許掲載公報第３欄下より４〜末行）の「入浴剤…多くしても」を
「入浴剤組成物全量に対し、１〜２０重量％の範囲で選ばれる。この量が少なすぎると本発明の効果が十分に得られないし、また、多すぎても」
と訂正するものである。
（５４）【発明の名称】
入浴剤組成物
（５７）【特許請求の範囲】
　１　入浴剤に、炭酸アルカリ塩及び有機酸とともにリン脂質１〜２０重量％を配合したことを特徴とする入浴剤組成物。
【発明の詳細な説明】
　　産業上の利用分野
　本発明は、入浴後における保温効果を高めるだけでなく、皮膚に潤いとスベスベした感触を与えるとともに皮膚の保護効果に優れ、しかも安全性の高いリン脂質を含有する新規な入浴剤組成物に関するものである。
　　従来の技術
　入浴剤は、昔から経験的に行われてきた温泉による治療や生薬を利用した薬湯治療の効果に基づき、温湯入浴における温浴効果、すなわち入浴によって温められた身体を保温し、血行を促進して疲労を回復し、冷え性を緩解するなどの効果を助長したり、また、更湯の皮膚に対する刺激を和らげ、浴湯に香りや色などを付けることによって、入浴時の気分を楽しくしたりするなどの目的で開発、使用されてきたが、近年、入浴剤に対する関心が高まり、さらによく温まり、しかも皮膚のためにも良い入浴剤が望まれている。
　そこで、浴用剤の開発は、温浴の主作用である保温効果を助長するだけではなく、全身の皮膚状態を健全ならしめる手軽なボディケア剤としての効果を付与する方向に展開されており、それに応じて多数の添加剤の利用が検討されている。例えば、グリセリンなどの多価アルコール類により保湿効果を付与したもの、タンパク質分解酵素を配合し清浄作用を高めたもの（特開昭６０−２１５６２１号公報）、油分を配合して皮膚を柔軟にするもの（特開昭５２−６４４１５号公報）、スキンケア効果を有する生薬エキスやビタミン類を配合したもの（特開昭５６−１５６２１０号公報）など多岐に渡っている。
　しかしながら、これらの手段は、保温効果を助長するためには効果が弱いし、またボディケア効果も十分とはいえない。例えば、多価アルコール類などの保湿剤は水溶性であるため、入浴時には皮膚に残りにくく効果は期待できない。また、保湿剤を多量に用いたり油分を用いたものは、入浴後にべたつき感が残ってさっぱりした湯上がり感が得られないし、またタンパク質分解酵素を用いたものは、皮膚表面の角質を溶解除去するために潤いが失われてかさついてしまうのを免れない。さらに、生薬エキス、ビタミン類を用いたものは効果が弱かったり変質しやすい上に、皮膚を刺激して安全性に問題のあるものが多い。
　　発明が解決しようとする課題
　本発明は、このような従来の入浴剤のもつ欠点を克服し、入浴後の保温効果に優れ、しかも安全で皮膚に潤いとスベスベした感触を付与する入浴剤組成物を提供することを目的としてなされたものである。
　　課題を解決するための手段
　本発明者らは、このような好ましい性質を有する入浴剤組成物を開発するために種々研究を重ねた結果、入浴剤に炭酸アルカリ塩、有機酸及びリン脂質を加えることにより、その目的を達成しうることを見出し、この知見に基づいて本発明を完成するに至った。
　すなわち、本発明は、入浴剤に、炭酸アルカリ塩及び有機酸とともにリン脂質１〜２０重量％を配合したことを特徴とする入浴剤組成物を提供するものである。
　以下、本発明を詳細に説明する。
　本発明に用いるリン脂質は特に制限されず、動植物の細胞膜の主要構成成分としてのリン脂質など、安全性が高く、広く食品、医薬品、香粧品などに乳化剤、乳化安定剤、エモリエント剤、保湿剤、リンス剤などとして多用されているものが一般的に用いられ、このようなものとしては、例えば次の一般式（Ｉ）
で表わされる物質などが挙げられ、中でもホスファチジルコリン、ホスファチジルエタノールアミン、ホスファチジルセリン、ホスファチジルグリセロール、ホスファチジルイノシトール及びこれらの水素添加物からなる群より選ばれる１種又は２種以上の混合物が好ましい。
　このリン脂質の含有量は、通常入浴剤組成物全量に対し、１〜２０重量％の範囲で選ばれる。この量が少なすぎると本発明の効果が十分には得られないし、また、多すぎてもさほど効果の向上は望めず経済的ではなく、また配合が困難となったり、経時的な吸湿、変質などにより安定性をそこなうなどの不都合を招くおそれがある。
　前記リン脂質の浴湯使用濃度は通常５〜１００ｐｐｍの範囲で選ばれる。
　前記ホスファチジルコリン、ホスファチジルエタノールアミン、ホスファチジルセリン、ホスファチジルグリセロール、ホスファチジルイノシトールはそれぞれ下記の一般式（ＩＩ）〜（ＶＩ）で表わされる物質である。
　これら天然のリン脂質は熱や酸化により変質しやすい欠点があるが、これらに水素添加を施したものは熱や酸化に対する安定性が良好である上に、本発明の効果になんら悪影響を及ぼさない。また、天然物から抽出されたリン脂質粗精製物のうち、リン脂質含量の高いもの（前記リン脂質の合計含有量が１０重量％以上のものが好ましい）であるならば同様に本発明のリン脂質として用いることができ、このようなものとしては、例えば大豆抽出リン脂質、卵黄抽出リン脂質のように既に工業的に生産されているものや、小麦、ピーナッツ、トウモロコシ、牛肝臓、畜肉、魚類などから抽出されたリン脂質、微生物由来のリン脂質などが挙げられる。
　本発明に用いるこれらのリン脂質は、弱い界面活性能を有しており、浴湯に添加した場合、ある程度は分散、懸濁化するが、ホスファチジルエタノールアミンのように分散しにくいものもある。
　本発明の入浴剤組成物においては、リン脂質とともに、炭酸アルカリ塩及び有機酸が用いられ、それにより肌に対する効果を相乗的に向上させることができる。このような入浴剤組成物は水分（湯）と反応して炭酸ガスを発生し、リン脂質は炭酸ガスの細かな気泡によって分散され、さらにリン脂質の持つ界面活性能によって炭酸ガスの泡を保持し、浴湯表面にクリーム状の泡の層を形成する。入浴に際して、このリン脂質の泡は肌の表面に薄膜を形成しながら、付着し、単にリン脂質を浴湯に分散させて入浴した場合よりも効果的に皮膚表面に作用させることができる。
　このような炭酸アルカリ塩としては、易水溶性の塩、例えば炭酸ナトリウム、炭酸カリウム、炭酸水素ナトリウム、炭酸水素カリウムなどが適しており、その添加量は通常入浴剤全量に対し、２０〜９０重量％とするのがよい。また、有機酸としては、水溶性のフマル酸、コハク酸、クエン酸、リンゴ酸、シュウ酸、酒石酸などが適しており、その添加量は通常入浴剤全量に対し、１０〜８０重量％とするのがよい。さらに、その剤型は粉末状、か粒状、錠剤のいずれでもよい。
　本発明の入浴剤組成物には、上記成分の他に、必要に応じ、香料、色素を始め、無機塩及び無機酸・アルカリ類、生薬、海藻類、粘着剤、精油類、油類、ビタミン類、アミノ酸類、酵素類、保湿剤を含有させることもできる。それらの具体例を以下に示すと、香料及び色素は、多数あり、特に制限されないが、使用者が適宜選択しうるように数種類用意するのが好ましい。無機塩及び無機酸・アルカリ類としては、例えば塩化ナトリウム、塩化カリウム、塩化アンモニウム、炭酸カルシウム、炭酸マグネシウム、硫酸ナトリウム、硫酸アルミニウム、硫酸鉄、チオ硫酸ナトリウム、チオ硫酸カリウム、次亜硫酸ナトリウム、硝酸ナトリウム、硝酸カリウム、硝酸カルシウム、リン酸ナトリウム、ポリリン酸ナトリウム、リン酸水素カルシウム、イオウ、硫化ナトリウム、硫化カリウム、亜硫化鉄、無水ケイ酸、メタケイ酸、雲母末、中性白土、水酸化ナトリウム、水酸化カルシウム、ホウ砂、ホウ酸、酸化カルシウム、臭化カリウム、過マンガン酸カリウム、人工カルルス塩、鉱砂、湯の花などが挙げられる。
　生薬としては、例えばアロエ、ウイキョウ、エイジツ、オウギ、オウゴン、オウバク、オウレン、オンジ、カイカ、ガイシ、ガイヨウ、カゴソウ、ガジュツ、カッコン、カノコソウ、カミツレ、カロコン、カンゾウ、キキョウ、キササゲ、キジツ、キッピ、キョウニン、クジン、ケイガイ、ケイヒ、ケツメイシ、ケンゴシ、ゲンノショウコ、コウカ、コウジュ、コウジン、コウブシ、コウボク、ゴシツ、ゴシュユ、ゴミン、サイカチ、サイコ、サイシン、ザクロヒ、サフラン、サンキライ、サンシシ、サンシュユ、サンショウ、サンヤク、ジオウ、シコン、シャクヤク、シャゼンシ、ジュウヤク、ショウキョウ、ショウブ、ショウマ、セイヨウノコギリソウ、セッコツボク、セネガ、センキュウ、センコツ、センブリ、ソウジュツ、ソウハクヒ、ソヨウ、ダイオウ、ダイコン、タイソウ、タクシャ、チクセツニンジン、チモ、チョウジ、チョレイ、チンピ、トウガラシ、トウキ、トウニン、トウヒ、ニガキ、ニンジン、ニンドウ、バクモンドウ、ハッカ、ハマボウフウ、ハンデ、ビャクシ、ビャクジュツ、ビワ、ブクリョウ、ボウイ、ボウコン、ボウフウ、ボダイジュ、ボタンピ、ホップ、マオウ、マツブサ、マロニエ、モクツウ、モッコウ、モモ、ヨクイニン、ランタナ、リュウタン、レンギョウ、ローズマリーなどが挙げられる。これらは通常粉末状や抽出エキス状で用いられる。
　海藻類としては、例えばアナアササ、ミル、ウスバアオノリ、ヒトエグサ、スジアオノリ、カサノリ、ヘライワツダ、ハネモ、ナガミルなどの緑藻植物；ウミウチワ、アミジグサ、モズク、イロロ、マツモ、イワヒゲ、ハバノリ、ウルシグサ、カジメ、マコンブ、ワカメ、ヒジキ、アラメ、ホンダワラ、ウミトラノオ、スギモリ、オオバモリなどの褪藻植物；アルバアマノリ、アサクサノリ、スサビノリ、ウミゾウメン、ヒラクサ、マクサ、トリアシ、ハナフノリ、フクロノリ、ヒカデノリ、トサカノリ、トゲキリンサイ、アカバギンナンソウ、コトジツノマタ、ツノマタ、アヤニシキ、マクリ、エゴノリ、オゴノリ、イバラノリなどの紅藻植物などが挙げられる。これらは通状粉末抽出エキス状で用いられる。
　粘着剤としては、例えばガイセン、カルボキシメチルセルロースナトリウム、水溶性ゼラチン、ペクチン、デンプン、メチルセルロース、エチルセルロース、アルギン酸ナトリウム、ポリビニルアルコール、ポリビニルピロリドン、ポリビニルメチルエーテル、ポリエチレングリコール、カラヤゴム、ローカストビーンガム、トラカントガム、カラギナン、カーボポール、アカシヤガム、カンテンなどが挙げられる。
　精油類としては、例えばハッカ油、ジャスミン油、ショウ脳油、ヒノキ油、トウヒ油、リュウ油、テレビン油、ケイ皮油、ベルガモット油、ミカン油、ショウブ油、パイン油、ラベンダー油、ベイ油、クローブ油、ヒバ油、バラ油、ユーカリ油、レモン油、タイム油、ペパーミント油、ローズ油、セージ油、メントール、シネオール、オイゲノール、シトラール、シトロネラール、ボルネオール、リナロール、ゲラニオール、カンファー、チモール、スピラントール、ピネン、リモネン、テルペン系化合物などが挙げられる。
　油類としては、例えばオリーブ油、大豆油、アーモンド油、落花生油、ヒマシ油、ヤシ油、パーム油、タートル油、ヌカ油、アボガド油、ミンク油、卵黄油、牛脂、ラノリン、スクワレン、ホホバ油、シリコーン、流動パラフィン、ワセリン、パラフィンなどが挙げられる。
　ビタミン類としては、例えばビタミンＡ、ビタミンＢ群、ビタミンＣ、ビタミンＤ、ビタミンＥ、ビタミンＦ、ビタミンＫ、ビタミンＰ、ビタミンＵ、カルニチン、フェルラ酸、γ‐オリザノール、α‐リポ酸、オロット酸及びその誘導体などが挙げられる。
　アミノ酸としては、例えばグリシン、アラニン、バリン、ロイシン、イソロイシン、セリン、トレオニン、フェニルアラニン、チロシン、トリプトファン、シスチン、システイン、メチオニン、プロリン、ヒドロキシプロリン、アスパラギン酸、グルタミン酸、アルギニン、ヒスチジン、リジン及びその誘導体などが挙げられる。
　酵素としては、例えばペプシン、トリプシン、キモトリプシン、カテプシン、パパイン、プロメライン、フイシン及び細菌酵母、カビ由来のプロテアーゼなどが挙げられる。
　保湿剤としては、例えばプロピレングリコール、グリセリンなどの多価アルコール、ペプチド、ポリアミノ酸、コラーゲン加水分解物及びその誘導体、ヒアルロン酸などのムコ多糖類、核酸、エラスチンなどのタンパク質及びその誘導体などが挙げられる。
　本発明の入浴剤は、以上の成分の中より選ばれたものを混合することによって調製される。
　本発明の入浴剤が前記のような保温効果及びスキンケア効果を有する理由は定かではないが、浴湯中に分散したリン脂質は皮膚表面の蛋白質と極めて親和性が良く、皮膚表面に薄膜を形成し、一度形成されたリン脂質の薄膜は容易に脱離しないため、入浴後において、水分の蒸散を抑え、身体内部の熱を外に逃がさないように作用し、保温効果が得られ、また皮膚に対する保湿効果も永く持続するため、肌の潤いを保ち、入浴後の肌に良く見られるカサツキや肌荒れを防ぐ等の効果が得られ、さらに、リン脂質の脂肪酸残基部分は皮膚に対して適度の加脂効果を示し、皮膚を保護するとともに、べたつかずスベスベした感触を与えるものと推測される。
　　発明の効果
　本発明の入浴剤は、温湯入浴による保温効果を助長し、しかも、入浴後の肌にしっとりとした潤いとスベスベした感触の滑らかさを付与しうるので、身体的及び精神的満足感を使用者に与えることができ、しかも、リン脂質は生体細胞膜の主要構成成分であることから、安全性が極めて高いなどの利点を有する。
　　実施例
　次に実施例によって本発明をさらに詳細に説明する。なお本発明はこれにより限定されるものではない。
実施例１、２、比較例１〜５
　表に示す組成成分の入浴剤を調整し、その性能を更湯と比較して評価した。評価方法、評価基準を以下に示し、評価結果を組成物の組成成分との関連で表に示す。
評価方法：
　評価者１０名（健常人・男性４名、女性６名、２５〜４５才）により、表に示す組成成分の入浴剤を各々２日ずつ連用し、入浴剤未使用の場合と比較評価した。入浴剤濃度は２００ｐｐｍ（２００ｌの湯に４０ｇ添加）、湯の温度は約４０℃とし入浴前に全身洗浄し、入浴時間は約１０分とした。タオルドライ後、１０分後に肌の「しっとり感（潤い）」、３０分後に「保温効果」の程度と肌の「スベスベ感（滑らかさ）」を評価した。
評価基準：
　　　　　　保温効果　　　　　しっとり感　　　　　スベスベ感
　　◎　非常に効果がある　　非常に優れている　　非常に優れている
　　○　明らかに効果がある　明らかに優れている　明らかに優れている
　　△　やや効果がある　　　やや優れている　　　やや優れている
　　×　更湯と同等以下　　　更湯と同等以下　　　更湯と同等以下
実施例３、４
　さらに、下記配合組成の入浴剤を調製し、実使用テストを行った。いずれの入浴剤も保温効果、しっとり感（潤い）、スベスベ感（滑らかさ）に優れていた。
　　　　　　　　　　　　　　実施例３　顆粒状
　炭酸ナトリウム　　　　　　　　　　　　　　　　　　　２０．０重量％
　塩化ナトリウム　　　　　　　　　　　　　　　　　　　１０．０
　硫酸ナトリウム　　　　　　　　　　　　　　　　　　　　１．２
　コハク酸　　　　　　　　　　　　　　　　　　　　　　２０．０
　ポリエチレングリコール（分子量６０００）　　　　　　２５．０
　α‐ピネン　　　　　　　　　　　　　　　　　　　　　　１．０
　アスコルビン酸ナトリウム　　　　　　　　　　　　　　　１．０
　パパイン　　　　　　　　　　　　　　　　　　　　　　　１．０
　チンピエキス末　　　　　　　　　　　　　　　　　　　　１．５
　亜硫酸ナトリウム　　　　　　　　　　　　　　　　　　　５．０
　無水ケイ酸　　　　　　　　　　　　　　　　　　　　　　３．０
　水溶性コラーゲン末　　　　　　　　　　　　　　　　　　０．１
　ホスファチジルセリン　　　　　　　　　　　　　　　　　７．０
　ホスファチジルイノシトール　　　　　　　　　　　　　　３．０
　青色１号　　　　　　　　　　　　　　　　　　　　　　　０．０５
　黄色４号　　　　　　　　　　　　　　　　　　　　　　　０．１５
　香料　　　　　　　　　　　　　　　　　　　　　　
　　　１．０　　　
　　　　　　　　　　　　　　　　　　　　　　　　　　１００
　　　　　　　　　　　　　　実施例４　錠剤
　炭酸ナトリウム　　　　　　　　　　　　　　　　　　　２３．０重量％
　炭酸水素ナトリウム　　　　　　　　　　　　　　　　　１７．０
　硫酸ナトリウム　　　　　　　　　　　　　　　　　　　　５．４
　クエン酸　　　　　　　　　　　　　　　　　　　　　　４０．０
　カラギナン　　　　　　　　　　　　　　　　　　　　　　０．２
　トウヒ油　　　　　　　　　　　　　　　　　　　　　　　１．０
　アルニカエキス末　　　　　　　　　　　　　　　　　　　１．５
　カミツレエキス末　　　　　　　　　　　　　　　　　　　１．０
　酢酸トコフェロール　　　　　　　　　　　　　　　　　　０．１
　γ‐オリザノール　　　　　　　　　　　　　　　　　　　０．１
　グリシン　　　　　　　　　　　　　　　　　　　　　　　１．０
　トリポリリン酸ナトリウム　　　　　　　　　　　　　　　２．０
　ホスファチジルグリセロール　　　　　　　　　　　　　　２．０
　ホスファチジルコリン　　　　　　　　　　　　　　　　　３．０
　ホスファチジルエタノールアミン　　　　　　　　　　　　１．０
　クチナシ黄色色素　　　　　　　　　　　　　　　　　　　０．２
　香料　　　　　　　　　　　　　　　　　　　　　　
　　　１．５　　　
　　　　　　　　　　　　　　　　　　　　　　　　　　１００